(57)【特許請求の範囲】
【請求項１】
１以上のインペラを有する原子炉内部ポンプと炉心板とを含む原子炉圧力容器用のモジュール式シュラウドシステムであって、
複数のシュラウド部分を含んでなるシュラウドであって、各シュラウド部分が１以上の圧力ライン部分を含んでいて、該圧力ライン部分が溶接せずに隣接シュラウド部分の対応圧力ライン部分と接続しかつ切り離せるように構成されているシュラウド、及び
圧力ライン部分を画成する複数のボアとシュラウド支持フランジとを含む原子炉ボトムヘッドペタル部であって、該ボトムヘッドペタル部の１以上の圧力ライン部分が隣接シュラウド部分の対応圧力ライン部分と結合するように構成されている原子炉ボトムヘッドペタル部、
を含み、
前記圧力ライン部分は、前記ボトムヘッドペタル部の前記外面から少なくとも部分的に前記ボトムヘッドペタルシュラウド支持フランジの外面まで延在するボアと連通する、
モジュール式シュラウドシステム。
【請求項２】
前記シュラウドの前記圧力ライン部分が前記シュラウド部分に溶接されている、請求項１に記載のモジュール式シュラウドシステム。
【請求項３】
前記シュラウドの前記圧力ライン部分が垂直部分を含んでいて、該垂直部分が前記シュラウド部分を貫通した垂直ボアによって画成される、請求項１に記載のモジュール式シュラウドシステム。
【請求項４】
前記シュラウドの前記圧力ライン部分がさらに水平部分を含んでいて、該水平部分が、前記シュラウド部分に溶接され前記垂直部分と連通して形成された管によって画成される、請求項３に記載のモジュール式シュラウドシステム。
【請求項５】
請求項１に記載のモジュール式シュラウドシステムであって、前記シュラウドが、隣合うシュラウド部分に結合されていてそれらの間に配置された炉心板レッジをさらに含んでおり、当該モジュール式シュラウドシステムが第１及び第２圧力ラインを含んでいて、上記第１圧力ラインが、前記ボトムヘッドペタル部の外面から前記ボトムヘッドペタルシュラウド支持フランジの外面まで延在するボアからなる第１圧力ライン部分と、前記シュラウド支持フランジに近接して第１シュラウド部分を通って前記シュラウドの内面まで延在するボアからなるとともに前記第１圧力ライン部分と結合するように構成された第２圧力ライン部分と、前記シュラウドの内面に沿って延在し前記炉心板の下方で終わっている管からなるとともに前記第２圧力ライン部分と結合するように構成された第３圧力ライン部分とを含んでなり、かつ上記第２圧力ラインが、前記ボトムヘッドペタル部の外面から前記ボトムヘッドペタルシュラウド支持フランジの外面まで延在するボアからなる第１圧力ライン部分と、前記シュラウド支持フランジに近接して前記第１シュラウド部分を通って前記シュラウドの内面まで延在するボアからなるとともに前記第１圧力ライン部分と結合するように構成された第２圧力ライン部分と、前記シュラウドの内面に沿って延在する管からなるとともに前記第２圧力ライン部分と結合するように構成された第３圧力ライン部分と、前記炉心板レッジに近接して前記シュラウド部分内に延在し前記シュラウド部分と前記炉心板レッジと第２シュラウド部分とを通って前記第２シュラウド部分の内面に達しているボアからなるとともに前記第３圧力ライン部分と結合するように構成された第４圧力ライン部分とを含んでなる、モジュール式シュラウドシステム。
【請求項６】
請求項５に記載のモジュール式シュラウドシステムであって、当該モジュール式シュラウドシステムが第３及び第４圧力ラインをさらに含んでいて、上記第３圧力ラインが、前記ボトムヘッドペタル部の前記外面から前記ボトムヘッドペタルの内面まで延在するボアからなる第１圧力ライン部分と、前記ボトムヘッドペタル部の前記シュラウド支持フランジの下で終わっている管からなるとともに前記第１圧力ライン部分に結合される第２圧力ライン部分とを含んでなり、上記第４圧力ラインが、前記ボトムヘッドペタル部の外面から前記ボトムヘッドペタルシュラウド支持フランジの外面まで延在するボアからなる第１圧力ライン部分と、前記シュラウド支持フランジに近接して前記第１シュラウド部分を通って前記シュラウドの前記内面まで延在するボアからなるとともに前記第１圧力ライン部分と結合するように構成された第２圧力ライン部分と、前記シュラウドの前記内面に沿って延在する管からなるとともに前記第２圧力ライン部分と結合するように構成された第３圧力ライン部分と、前記シュラウドを貫通しているボアからなるとともに前記第３圧力ライン部分と結合するように構成された第４圧力ライン部分とを含んでなる、モジュール式シュラウドシステム。
【請求項７】
請求項１に記載のモジュール式シュラウドシステムであって、当該モジュール式シュラウドシステムが第１及び第２圧力ラインを含んでいて、上記第１圧力ラインが、前記ボトムヘッドペタル部の外面から前記ボトムヘッドペタルシュラウド支持フランジの外面まで延在するボアからなる第１圧力ライン部分と、前記シュラウドを通って前記炉心板レッジ内に延在し前記炉心板レッジの内面に達しているボアからなるとともに前記第１圧力ライン部分と結合するように構成された第２圧力ライン部分とを含んでなり、上記第２圧力ラインが、前記ボトムヘッドペタル部の外面から前記ボトムヘッドペタルシュラウド支持フランジの外面まで延在するボアからなる第１圧力ライン部分と、前記第１シュラウド部分を通り前記炉心板レッジ内に延びてそれを貫通し前記第２シュラウド部分内に延びて前記第２シュラウド部分の前記内面に達しているボアからなるとともに前記第１圧力ライン部分と結合するように構成された第２圧力ライン部分とを含んでなる、モジュール式シュラウドシステム。
【請求項８】
請求項７記載のモジュール式シュラウドシステムであって、当該モジュール式シュラウドシステムが第３及び第４圧力ラインをさらに含んでいて、上記第３圧力ラインが、前記ボトムヘッドペタル部の前記外面から前記ボトムヘッドペタル部の前記内面まで延在するボアからなる第１圧力ライン部分と、前記ボトムヘッドペタル部の前記シュラウド支持フランジの下で終わっている管からなるとともに前記第１圧力ライン部分に結合される第２圧力ライン部分とを含んでなり、上記第４圧力ラインが、前記ボトムヘッドペタル部の前記外面から前記ボトムヘッドペタルシュラウド支持フランジの前記外面まで延在するボアからなる第１圧力ライン部分と、前記第１シュラウド部分を通って前記シュラウドの前記内面まで延在するボアからなるとともに前記第１圧力ライン部分と結合するように構成された第２圧力ライン部分と、前記シュラウドの前記内面に沿って延在する管からなるとともに前記第２圧力ライン部分と結合するように構成された第３圧力ライン部分と、前記シュラウドの内面に沿って前記第３圧力ライン部分に対してほぼ垂直に延在する管からなるとともに前記第３圧力ライン部分と結合するように構成された第４圧力ライン部分と、前記シュラウドを貫通しているボアからなるとともに前記第４圧力ライン部分と結合するように構成された第５圧力ライン部分とを含んでなる、モジュール式シュラウドシステム。
【請求項９】
前記ボトムヘッドペタル部の１以上の圧力ライン部分が隣接シュラウド部分の対応圧力ライン部分と結合するように構成されている請求項１に記載のモジュール式シュラウドシステム。
【請求項１０】
請求項１乃至９のいずれか１項に記載のモジュール式シュラウドシステムを有するモジュール式差圧測定システム。
【発明の詳細な説明】
【０００１】
【発明の背景】
本発明は一般的には原子炉に関し、具体的には沸騰水型原子炉用の炉心板差圧ライン及び原子炉内部ポンプ差圧ラインに関する。
【０００２】
沸騰水型原子炉（ＢＷＲ）の原子炉圧力容器（ＲＰＶ）は通例概して筒形で、両端が例えばボトムヘッドと着脱自在なトップヘッドとで閉じられている。トップガイドは通例ＲＰＶ内の炉心板の上方に隔置される。炉心シュラウドつまりシュラウドは通例炉心板を囲んでいてシュラウド支持構造体によって支持されている。詳述すると、シュラウドは通例概して筒形で、炉心板とトップガイドとを包囲する。炉心中心線はシュラウドの中心線と実質的に同軸であり、シュラウドは両端が開いているので、水がシュラウドの下端を通って上方に流れシュラウドの上端を通って流出し得る。シュラウドとトップガイドと炉心板は炉心燃料束の横方向移動を制限する。
【０００３】
シュラウドは寸法が大きいので、通例は複数のステンレス鋼製筒形部分を溶接により結合することによって形成される。しかし、シュラウド溶接部のためシュラウド材料は粒界応力腐食割れ（ＩＧＳＣＣ）として知られている悪影響を一段と受け易くなる。通例、割れはシュラウド溶接部の熱影響部において発生し得る。現在では、体積検査を行って割れの程度を検出し評価する。割れが重大であると決定されれば、溶接継ぎ目の健全性を再度確保すべく修理を行ってもよいし、或いはシュラウドを交換する。
【０００４】
ＲＰＶは原子炉内部ポンプも含んでおり、シュラウドと圧力容器壁との間の環状域内に配置されている。内部ポンプはＲＰＶ内の水を循環させる。通例、差圧ラインを用いて原子炉内部ポンプ流量と、シュラウド内に配置された炉心を通る水の流量とを測定する。これらの圧力ラインは通常管と管継手とで構成される。圧力ライン（圧力管路）はボトムヘッドにおける貫通部を通ってＲＰＶに入る。圧力ラインはシュラウドの内側に沿って延在し、シュラウドに溶接ブラケットによって支持される。ブラケットは、圧力ライン内での流れ誘導振動を防止する必要がある。原子炉内部ポンプ差圧ラインは一方のラインがポンプインペラの上方でシュラウドを貫通していて、他方のラインがシュラウド内側においてインペラの下方で終わっている。炉心差圧ラインは炉心板の上方と下方で終わっている。
【０００５】
差圧ラインはシュラウドに溶接されているので、シュラウド部分の交換は困難であり時間がかかる。シュラウド部分の交換の前にまず圧力ラインをシュラウド部分から取り外さなければならない。また、差圧ラインを再設置、すなわち、新しいシュラウド部分に溶接しなければならない。
【０００６】
交換の容易なシュラウド部分を含むシュラウドを提供することができれば望ましい。特に、圧力ラインと圧力ライン支持物を切断せずに取り外すことのできる交換可能なシュラウド部分を含み、シュラウド部分の取付けに際して圧力ライン及び／又は圧力ライン支持物の溶接を要しないシュラウドを提供することが望ましい。
【０００７】
【発明の概要】
上記その他の目的は、沸騰水型原子炉圧力容器用のモジュール式差圧測定システムによって達成し得る。この差圧測定システムは交換可能なシュラウド部分が使用できるようにするが、これは、該モジュール式差圧システムでは交換可能シュラウド部分を交換するのに圧力ラインと圧力ライン支持物を切断する必要がないからである。加えて、モジュール式差圧システムは、交換可能なシュラウド部分の取付け中、圧力ライン及び／又は圧力ライン支持物の溶接を必要としない。
【０００８】
モジュール式差圧システムは複数の圧力ラインを含んでおり、各圧力ラインは複数の圧力ライン部分を含む。このモジュール式システムは、１以上の交換可能なシュラウド部分を有するシュラウドも含んでいる。各々のシュラウド部分は、溶接せずに隣接シュラウド部分の対応圧力ライン部分と接続しかつ切り離せるように構成されている圧力ライン部分を１以上含んでいる。シュラウド部分は、該シュラウド部分に溶接された支持ブラケットと結合する１以上の圧力ラインを含み得る。この圧力ラインはシュラウド部分に結合されたままであり、モジュール式構成部としてシュラウド部分と一緒に取り外し・装着される。一つのシュラウド部分の圧力ラインの隣接シュラウド部分への接続部は両シュラウド部分間のフランジ付き境界に位置している。従って、圧力ライン部分用の別のフランジ付き継手は必要でなく、また接続部の溶接も不要である。
【０００９】
本モジュール式システムは原子炉ボトムヘッドペタル部も含んでいる。該ボトムヘッドペタル部はシュラウド部分を支持するように形成されていて、シュラウド支持フランジを含んでいる。ボトムヘッドペタル部は圧力ライン部分を画成する複数のボアも含んでいる。ボトムヘッドペタルの１以上の圧力ライン部分は隣接シュラウド部分の対応圧力ライン部分と結合するように構成される。詳しくは、短い垂直ボアが水平ボアの一端からシュラウド支持フランジの外面まで延在する。この垂直ボアは、時々シュラウド支持体と呼ばれる下側シュラウド部分の垂直ボアに結合するように構成される。垂直ボアは幾つかのシュラウド部分を通って垂直方向に延在し得る。或いは下側シュラウド垂直ボアは、その端から下側シュラウド部分の外面まで延在する短い水平ボアを有し得る。この水平ボアは、シュラウドの内面に沿って延在する圧力ラインの垂直又は水平管部に結合し得る。
【００１０】
運転中、モジュール式差圧システムは原子炉圧力容器内の別々の２点で圧力を測定する。圧力差は原子炉内の２点間の流量を指示するものである。代表的な場合、炉心流量は、炉心板の上方と下方の圧力を測定することによって測定される。また、原子炉の環状域内の流量は、原子炉内部ポンプインペラの上方と下方の圧力を測定することによっても測定できる。
【００１１】
本圧力システムはモジュール式であるから、一つのシュラウド部分を交換のため取り外す際、モジュール式圧力ラインがそのシュラウド部分と一緒に取り外される。圧力ライン部分を隣接シュラウド部分の対応圧力ライン部分から離すのに切断作業は必要でない。その後、取り外したシュラウド部分の代わりに、やはり一体圧力ラインを備えたシュラウド部分を取付けるが、それらの圧力ラインは溶接せずに隣接シュラウド部分の圧力ラインに再結合される。
【００１２】
上述のモジュール式差圧ラインによって、差圧ラインをシュラウドから切断しなくてもシュラウド部分を交換することができるようになる。モジュール式差圧ラインは、炉心シュラウドへの溶接によって差圧ラインを再設置しなくても、交換用シュラウド部分の取付けができるようにする。このモジュール式差圧ラインは、原子炉内の炉心シュラウドの交換工程を単純化するとともに迅速化する。
【００１３】
【発明の詳述】
図１は原子炉圧力容器（ＲＰＶ）１０の部分切除断面図である。ＲＰＶ１０は概して筒形であり、一端がボトムヘッド１２により他端が着脱自在なトップヘッド（図示せず）により閉ざされている。ボトムヘッドペタル１４がボトムヘッド１２から延在しＲＰＶ１０の側壁（図示せず）を支持している。筒形炉心シュラウド１６が炉心（図示せず）を囲んでおり、シュラウド支持体１８によって支持されている。環状域２０がシュラウド１６とＲＰＶ１０の側壁との間に形成されている。リング形の邪魔板２２がシュラウド１６とボトムヘッドペタル１４との間に延在する。邪魔板２２は、原子炉内部ポンプインペラ２６を収納する複数の円形開口２４を有する。原子炉内部ポンプインペラ２６によりＲＰＶ１０内の水が環状域２０を通流する。
【００１４】
シュラウド１６は下側シュラウド部分２８と上側シュラウド部分３０とで形成される。円形の炉心板レッジ（棚）３２が上側シュラウド部分３０と下側シュラウド部分２８の間に配置されている。ＲＰＶ１０は炉心板３４も含んでいて、炉心板レッジ３２に結合されている。
【００１５】
炉心を通る水の流量を測定するために、圧力測定を炉心板３４の上方と下方で行う。次いで、差圧を炉心流量に変換し得る。ＲＰＶ１０は炉心流差圧ライン３６（一つを図示）を備えている。差圧ライン３６はボトムヘッド１２を貫通してＲＰＶ１０に入りシュラウド１６の内側に沿って垂直方向に延在する。差圧ライン３６は複数の支持ブラケット３８によりシュラウド１６に連結されている。詳述すると、ブラケット３８はシュラウド１６に溶接され差圧ライン３６は支持ブラケット３８に溶接されている。加えて、原子炉内部ポンプインペラ２６の上方と下方の位置で差圧を測定することにより原子炉内部ポンプ流量を測定し得る。ＲＰＶ１０は原子炉内部ポンプ流差圧ライン４０（一つを図示）も備えている。差圧ライン４０はボトムヘッド１２を貫通してＲＰＶ１０に入りシュラウド１６の内側に沿って垂直方向に延在する。差圧ライン４０はシュラウド１６の内側に沿って水平方向にも延在しており、原子炉内部ポンプインペラ２６の上方又は下方の一点に達している。差圧ライン３６と同様に、差圧ライン４０は支持ブラケット３８によりシュラウド１６に連結されている。差圧ライン３６，４０は通例管と管継手とを用いた溶接構造のものである。
【００１６】
図２と図３と図４と図５は本発明の一実施例による炉心シュラウド５２を有するＲＰＶ５０の部分断面図である。ＲＰＶ５０は、シュラウド支持フランジ５６を有するボトムヘッドペタル５４を含んでいる。ＲＰＶ側壁５８がボトムヘッドペタル５４から延在する。シュラウド５２はボトムヘッドペタル５４のシュラウド支持フランジ５６によって支持されている。
【００１７】
シュラウド５２は、通例フランジと呼ばれる第１シュラウド部分６０と、通例下側シュラウドと呼ばれる第２シュラウド部分６２と、通例上側シュラウドと呼ばれる第３シュラウド部分６４とを含んでいる。炉心板レッジ６６が第２シュラウド部分６２と第３シュラウド部分６４の間に配置されている。炉心板６８が炉心板レッジ６６に結合されている。
【００１８】
炉心流量を測定するために、ＲＰＶ５０はモジュール式差圧ライン７０（図２）及び７２（図３）を含んでいる。図２について説明すると、差圧ライン７０は第１、第２、第３及び第４圧力ライン部分７４，７６，７８及び８０を含んでいる。第１圧力ライン部分７４は、ボトムヘッドペタル５４の外面８４からシュラウド支持フランジ５６の外面８６まで延在するボア８２で画成される。第２圧力ライン部分７６は、第１シュラウド部分６０のフランジ係合表面９０から延在する第１ボア８８と、第１ボア８８の一端９４からほぼ垂直にシュラウド５２の内面９６まで延在する第２ボア９２とで画成される。第２圧力ライン部分７６は第１圧力ライン部分７４に結合するように構成されている。第３圧力ライン部分７８は、シュラウド５２の内面９６に沿って炉心板６８に向かって延在する管９８で画成される。管９８は支持ブラケット１００によりシュラウド５２に連結されている。第３圧力ライン部分７８は第２圧力ライン部分７６と第４圧力ライン部分８０とに結合するように構成されている。第４圧力ライン部分８０は、第２シュラウド部分６２内に延在する第１ボア１０２と、第１ボア１０２の端１０６からほぼ垂直に第２シュラウド部分６２と炉心板レッジ６６とを通って第３シュラウド部分６４内に延在する第２ボア１０４と、第２ボア１０４の端１１０からほぼ垂直に第３シュラウド部分６４の内面１１２まで延在する第３ボア１０８とで画成される。
【００１９】
図３について説明すると、差圧ライン７２は第１、第２及び第３圧力ライン部分１１４，１１６及び１１８を含んでいる。第１圧力ライン部分１１４は、ボトムヘッドペタル５４の外面８４からシュラウド支持フランジ５６の外面８６まで延在するボア１２０で画成される。第２圧力ライン部分１１６は、第１シュラウド部分６０のフランジ係合表面９０から延在する第１ボア１２２と、第１ボア１２２の一端１２６からほぼ垂直にシュラウド５２の内面９６まで延在する第２ボア１２４とで画成される。第２圧力ライン部分１１６は第１圧力ライン部分１１４に結合するように構成されている。第３圧力ライン部分１１８は、シュラウド５２の内面９６に沿って炉心板６８に向かって延在する管１２６で画成される。
管１２６は支持ブラケット１００によりシュラウド５２に連結されている。
【００２０】
原子炉内部ポンプ流量を測定するために、ＲＰＶ５０はモジュール式差圧ライン１２８（図４）及び１３０（図５）を含んでいる。図４について説明すると、差圧ライン１２８は第１及び第２圧力ライン部分１３２，１３４を含んでいる。第１圧力ライン部分１３２は、ボトムヘッドペタル５４の外面８４からボトムヘッドペタル５４の内面１３８まで延在するボア１３６で画成される。第２圧力ライン部分１３４は、ボア１３６と結合し表面８６とは反対側のシュラウド支持フランジ５６近傍を終端とする管１４０で画成される。
【００２１】
図５について説明すると、差圧ライン１３０は第１、第２、第３及び第４圧力ライン部分１４２，１４４，１４６及び１４８を含んでいる。第１圧力ライン部分１４２は、ボトムヘッドペタル５４の外面８４からシュラウド支持フランジ５６の外面１８６まで延在するボア１５０で画成される。第２圧力ライン部分１４４は、第１シュラウド部分６０のフランジ係合表面９０から延在する第１ボア１５２と、第１ボア１５２の一端１５３からほぼ垂直にシュラウド５２の内面９６まで延在する第２ボア１５４とで画成される。第２圧力ライン部分１４４は第１圧力ライン部分１４２に結合するように構成されている。第３圧力ライン部分１４６は、シュラウド５２の内面９６に沿って炉心板６８に向かって延在する管１５６で画成される。管１５６は支持ブラケット１００によりシュラウド５２に連結されている。第３圧力ライン部分１４６は第２圧力ライン部分１４４と第４圧力ライン部分１４８とに結合するように構成されている。第４圧力ライン部分１４８は、第２シュラウド部分６２を貫通しているボア１５８で画成される。
【００２２】
運転中、モジュール式差圧ライン７０，７２，１２８，１３０は原子炉圧力容器内の別々の点で圧力を測定する。圧力差は原子炉内の２点間の流量を指示するものである。代表的な場合、炉心流量は、差圧ライン７０，７２により炉心板６８の上方と下方の圧力を測定することによって測定される。原子炉の環状域内の流量は、差圧ライン１２８，１３０により原子炉内部ポンプインペラの上方と下方の圧力を測定することによって測定できる。
【００２３】
圧力ライン７０，７２，１２８，１３０はモジュール式であるから、一つのシュラウド部分、例えばシュラウド部分６０，６２又は６４を交換のために取り外す時、そのシュラウド部分と一体のモジュール式圧力ライン部分又はそれらのある部分がシュラウド部分と一緒に取り外される。例えば、シュラウド部分６４を原子炉５０から取り外す場合、シュラウド部分６４と関連する一体圧力ライン部分８０の部分、すなわち、第２ボア１０４と第３ボア１０８も取り外される。圧力ライン部分を隣接シュラウド部分の対応圧力ライン部分から離すのに切断作業は必要でない。その後、取り外したシュラウド部分の代わりに、やはり一体圧力ラインを備えたシュラウド部分を取付けるが、それらの圧力ラインは溶接せずに隣接シュラウド部分の圧力ラインに再結合される。
【００２４】
上述のモジュール式差圧ライン７０，７２，１２８，１３０によって、差圧ラインをシュラウドから切断しなくてもシュラウド部分６０，６２，６４を交換することができるようになる。このモジュール式差圧ラインは、炉心シュラウド５２への溶接によって差圧ラインを再設置しなくても、交換用シュラウド部分の取付けができるようにする。モジュール式差圧ラインは、原子炉圧力容器５０内の炉心シュラウド５２の交換工程を単純化するとともに迅速化する。
【００２５】
図６と図７と図８と図９は本発明の他の実施例による炉心シュラウド２０２を有するＲＰＶ２００の断面図である。ＲＰＶ２００にはボトムヘッドペタル２０４が含まれ、シュラウド支持フランジ２０６を有する。ＲＰＶ側壁２０８がボトムヘッドペタル２０４から延在する。シュラウド２０２はボトムヘッドペタル２０４のシュラウド支持フランジ２０６によって支持されている。
【００２６】
シュラウド２０２は、通例シュラウド支持体と呼ばれる第１シュラウド部分２１０と、通例下側シュラウドと呼ばれる第２シュラウド部分２１２と、通例上側シュラウドと呼ばれる第３シュラウド部分２１４とを含んでいる。炉心板レッジ２１６が第２シュラウド部分２１２と第３シュラウド部分２１４との間に配置されている。炉心板２１８が炉心板レッジ２１６に結合されている。
【００２７】
炉心流量を測定するために、ＲＰＶ２００はモジュール式差圧ライン２２０（図６）及び２２２（図７）を含んでいる。図６について説明すると、差圧ライン２２０は第１及び第２圧力ライン部分２２４，２２６を含んでいる。第１圧力ライン部分２２４は、ボトムヘッドペタル２０４の外面２３０からシュラウド支持フランジ２０６の外面２３２まで延在するボア２２８で画成される。第２圧力ライン部分２２６は、第１シュラウド部分２１０のフランジ係合表面２３６から第１シュラウド部分２１０と第２シュラウド部分２１２と炉心板レッジ２１６とを通って第３シュラウド部分２１４内に延在する第１ボア２３４と、第１ボア２３４の一端２３９からほぼ垂直にシュラウド２０２の内面２４０まで延在する第２ボア２３８とで画成される。第２圧力ライン部分２２６は第１圧力ライン部分２２４に結合するように構成されている。
【００２８】
図７について説明すると、差圧ライン２２２は第１及び第２圧力ライン部分２４２，２４４を含んでいる。第１圧力ライン部分２４２は、ボトムヘッドペタル２０４の外面２３０からシュラウド支持フランジ２０６の外面２３２まで延在するボア２４６で画成される。第２圧力ライン部分２４４は、第１シュラウド部分２１０のフランジ係合表面２３６から第１シュラウド部分２１０と第２シュラウド部分２１２とを通って炉心板レッジ２１６内に延在する第１ボア２４８と、第１ボア２４８の一端２５２からほぼ垂直に炉心板レッジ２１６の内面２５４まで延在する第２ボア２５０とで画成される。第２圧力ライン部分２４４は第１圧力ライン部分２４２に結合するように構成されている。
【００２９】
原子炉内部ポンプ流量を測定するために、ＲＰＶ２００はモジュール式差圧ライン２５６（図８）及び２５８（図９）を含んでいる。図８について説明すると、差圧ライン２５６は第１及び第２圧力ライン部分２６０，２６２を含んでいる。第１圧力ライン部分２６０は、ボトムヘッドペタル２０４の外面２３０からボトムヘッドペタル２０４の内面２６６まで延在するボア２６４で画成される。第２圧力ライン部分２６２は、ボア２６４に結合しかつ表面２３２とは反対側のシュラウド支持フランジ２０６近傍を終端とする管２６８によって画成される。
【００３０】
図９について説明すると、差圧ライン２５８は第１、第２、第３及び第４圧力ライン部分２７０，２７２，２７４及び２７６を含んでいる。第１圧力ライン部分２７０は、ボトムヘッドペタル２０４の外面２３０からシュラウド支持フランジ２０６の外面２３２まで延在するボア２７８で画成される。第２圧力ライン部分２７２は、第１シュラウド部分２１０のフランジ係合表面２３６から第１シュラウド部分２１０を通って第２シュラウド部分２１２内に延在する第１ボア２８０と、第１ボア２８０の一端２８４からほぼ垂直にシュラウド２０２の内面２４０まで延在する第２ボア２８２とで画成される。第２圧力ライン部分２７２は第１圧力ライン部分２７０に結合するように構成されている。第３圧力ライン部分２７４は、シュラウド２０２の内面２３６に沿って炉心板２１８に向かって延在する管２８６で画成される。第３圧力ライン部分２７４は第２圧力ライン部分２７２と第４圧力ライン部分２７６とに結合するように構成されている。第４圧力ライン部分２７６は、第２シュラウド部分２１２を貫通しているボア２８８で画成される。
【００３１】
本発明の様々な実施例の以上の説明から、本発明の目的が達成されることは明らかである。本発明を詳細に説示したが、この詳細な説示は単に例示のためのもので本発明を限定するものではないことを理解されたい。
【図面の簡単な説明】
【図１】  沸騰水型原子炉圧力容器の部分切除断面図である。
【図２】  本発明の一実施例による炉心シュラウドを有するＲＰＶの部分断面図である。
【図３】  本発明の一実施例による炉心シュラウドを有するＲＰＶの部分断面図である。
【図４】  本発明の一実施例による炉心シュラウドを有するＲＰＶの部分断面図である。
【図５】  本発明の一実施例による炉心シュラウドを有するＲＰＶの部分断面図である。
【図６】  本発明の他の実施例による炉心シュラウドを有するＲＰＶの部分断面図である。
【図７】  本発明の他の実施例による炉心シュラウドを有するＲＰＶの部分断面図である。
【図８】  本発明の他の実施例による炉心シュラウドを有するＲＰＶの部分断面図である。
【図９】  本発明の他の実施例による炉心シュラウドを有するＲＰＶの部分断面図である。
【符号の説明】
２６  原子炉内部ポンプインペラ
５０  原子炉圧力容器
５２  炉心シュラウド
５４  ボトムヘッドペタル
５６  シュラウド支持フランジ
５８  原子炉圧力容器側壁
６０，６２，６４  シュラウド部分
６６  炉心板レッジ
６８  炉心板
７０，７２  モジュール式差圧ライン
１００  支持ブラケット
【図１】
0004656684.tif 000002
【図２】
0004656684.tif 000003
【図３】
0004656684.tif 000004
【図４】
0004656684.tif 000005
【図５】
0004656684.tif 000006
【図６】
0004656684.tif 000007
【図７】
0004656684.tif 000008
【図８】
0004656684.tif 000009
【図９】
0004656684.tif 000010